(57)【要約】【課題】塗布部の肌への密着性に優れ、化粧料を肌に効率良く塗り広げることができるとともに、マッサージやツボ押しを容易に行うことができる化粧料塗布具を提供すること。【解決手段】本発明の化粧料塗布具１は、合成樹脂製の成形体からなる中実の塗布部２を有し、該塗布部２内に、前記成形体より硬い材料からなる、突起３１〜３３等のマッサージ用構造体が内包されている。前記成形体は、ＪＩＳＫ６２５３で規定するデュロメータ硬さが、好ましくは０〜９０である。【選択図】図１
2014213142.tif 000002
【特許請求の範囲】
【請求項１】
合成樹脂製の成形体からなる中実の塗布部を有し、該塗布部内に、前記成形体より硬い材料からなるマッサージ用構造体が内包されている化粧料塗布具。
【請求項２】
前記成形体は、ＪＩＳＫ６２５３で規定するデュロメータ硬さが０〜９０である、請求項１に記載の化粧料塗布具。
【請求項３】
前記塗布部は、少なくとも肌に当接される塗布面が非多孔質材料からなる、請求項１又は２に記載の化粧料塗布具。
【請求項４】
把持部を備え、前記塗布部の塗布面が、該把持部の軸方向に対して傾斜している部分を有する、請求項１〜３の何れか１項に記載の化粧料塗布具。
【請求項５】
前記塗布部を支持する支持部を有し、該支持部に、前記マッサージ用構造体として、突起が設けられている、請求項１〜４の何れか１項に記載の化粧料塗布具。
【請求項６】
前記突起を複数有する、請求項５に記載の化粧料塗布具。
【請求項７】
前記塗布部は、人の手の指先大の大きさを有している、請求項１〜６の何れか１項に記載の化粧料塗布具。
【請求項８】
チューブ容器からなる把持部を有している、請求項１〜７の何れか１項に記載の化粧料塗布具。
【請求項９】
請求項８に記載の化粧料塗布具に使用されるチューブ容器。
【請求項１０】
請求項９に記載のチューブ容器に収容された化粧料。
【請求項１１】
請求項８に記載の化粧料塗布具の使用方法であって、
把持部を手で把持する工程、
把持部を加圧し、塗布部の塗布面上に化粧料を吐出させる工程、
塗布部の塗布面を、肌面に当てて、該肌面に化粧料を付着させる工程、
塗布部の塗布面を、肌面に接触させつつ移動させて、該肌面に化粧料を塗り広げる工程、
化粧料を肌面に塗り広げると同時または、化粧料を肌面に塗り広げた後に、塗布部の塗布面を肌面に押し付けつつ塗布部を動かす工程を有する化粧料塗布具の使用方法。
【発明の詳細な説明】
【技術分野】
【０００１】
本発明は、化粧料塗布具に関する。
【背景技術】
【０００２】
化粧料を収容する容器部と、該容器部から吐出させた化粧料を肌に塗り広げるための塗布部とを有する化粧料塗布具が知られている。また、ローラーや突起により、顔や頭皮をマッサージするマッサージ具も知られている。
また、かゆみ止めの薬剤を患部に塗布する薬剤塗布容器として、塗布液を収容した容器本体の開口部を閉塞する中栓部に、液孔と複数の突起と中栓部を被覆する塗布部とを設けたものが提案されている（特許文献１参照）。
特許文献１には、上部表面が平らな突起と上部表面が曲面の突起をスポンジで密着するように、あるいは密着させないように覆い、スポンジから薬剤が滲み出す塗布部が開示されている。
【先行技術文献】
【特許文献】
【０００３】
【特許文献１】特開２００４−７５１６５号公報
【発明の概要】
【発明が解決しようとする課題】
【０００４】
従来の化粧料塗布具やマッサージ具は、化粧料を塗り広げか、マッサージの何れか一方を目的とするものであり、化粧料を肌に塗り広げつつ、マッサージやツボ押しを容易に行うことができる化粧料塗布具は未だ提供されていない。
また、特許文献１の薬剤塗布容器は、突起を患部に押し当てながら擦り動かすことによって患部を掻くことができ、突起と患部の間にスポンジが介在することによって、その掻き心地をよくすることができる。
しかし、特許文献１の薬剤塗布容器は、上部表面が平らな突起と上部表面が曲面の突起をスポンジで密着するように覆った塗布部の場合には、上部表面が平らな突起を有するために、肌に対して容器を垂直に当てる必要があり、塗布し難かった。また、上部表面が曲面の突起を有する為に、肌に痛みを感じる場合もあった。さらに、突起をスポンジで密着させないように覆った塗布部の場合には、突起によりスポンジを肌に押し付けると、突起に押圧された部分と押圧されない部分とが波打つように変形して、スポンジからなる塗布面の肌への密着性が低下する。そのため、化粧料の塗布への応用を考えた場合、化粧料を肌に均一に塗り広げることが難しい。
【０００５】
したがって本発明の課題は、前述した従来技術が有する欠点を解消し得る化粧料塗布具を提供することにある。
【課題を解決するための手段】
【０００６】
本発明は、合成樹脂製の成形体からなる中実の塗布部を有し、該塗布部内に、前記成形体より硬い材料からなるマッサージ用構造体が内包されている化粧料塗布具を提供するものである。
【０００７】
また、本発明は、前記の化粧料塗布具であって、チューブ容器からなる把持部を有するものに使用されるチューブ容器、及び該チューブ容器に収容された化粧料を提供するものである。
また、本発明は、前記の化粧料塗布具であって、チューブ容器からなる把持部を有するものの使用方法であって、把持部を手で把持する工程、把持部を加圧し、塗布部の塗布面上に化粧料を吐出させる工程、塗布部の塗布面を、肌面に当てて、該肌面に化粧料を付着させる工程、塗布部の塗布面を、肌面に接触させつつ移動させて、該肌面に化粧料を塗り広げる工程、及び化粧料を肌面に塗り広げると同時または、化粧料を肌面に塗り広げた後に、塗布部の塗布面を肌面に押し付けつつ塗布部を動かす工程を有する化粧料塗布具の使用方法を提供するものである。
【発明の効果】
【０００８】
本発明の化粧料塗布具によれば、塗布部の肌への密着性に優れ、化粧料を肌に効率良く塗り広げることができるとともに、マッサージやツボ押しを容易に行うことができる。
【０００９】
なお、本願明細書、特許請求の範囲において、「からなる」は、他の部材が付加されることを排除する意味ではなく、適宜他の部材が付加されても良い。
【図面の簡単な説明】
【００１０】
【図１】図１は、本発明の化粧料塗布具の一実施形態の要部を示す斜視図である。
【図２】図２は、図１のＩＩ−ＩＩ線断面図である。
【図３】図３は、図１に示す化粧料塗布具の要部の分解斜視図である。
【図４】図４は、図１に示す化粧料塗布具の全体を示す側面図である。
【図５】図５は、本発明の化粧料塗布具を用いて化粧料の塗布及びマッサージを行う様子を示す斜視図である。
【図６】図６は、本発明の化粧料塗布具の他の実施形態を示す模式図である。
【図７】図７は、本発明の化粧料塗布具の更に他の実施形態を示す模式図である。
【図８】図８は、本発明の化粧料塗布具の更に他の実施形態を示す模式図である。
【発明を実施するための形態】
【００１１】
以下本発明を、その好ましい実施形態に基づき図面を参照しながら説明する。
本発明の一実施形態である化粧料塗布具１は、図１〜図４に示すように、軟質で弾性を有する合成樹脂製の成形体からなる中実の塗布部２を有し、塗布部２内に、マッサージ用構造体として、前記軟質の成形体（以下、単に軟質成形体と称する）より硬い材料からなる突起３１〜３３が内包されている。
【００１２】
本実施形態の化粧料塗布具１について、より詳細に説明すると、化粧料塗布具１は、図４に示すように、チューブ容器４０からなる把持部４を有しており、例えば、図５に示すように、把持部４を手５に持ち、顔等における肌面に、チューブ容器４０内に収容された化粧料を塗布しつつ、マッサージを行うために使用される。また、軟質成形体からなる塗布部２は、把持部４の軸方向Ｘにおける一端に設けられている。
【００１３】
塗布部２は、軟質で弾性を有する合成樹脂製の軟質成形体からなり、例えば射出成形等の公知の成形方法により得られた非多孔質材料からなる成形体である。本実施形態における塗布部２は、図１及び図２に示すように、凸曲面状の塗布面２ａと、傾斜した平面状の下面２ｂと、それらの間に位置する周側面２ｃとを有する。
塗布部２は、軟質で弾性を有する合成樹脂製の軟質成形体からなり、指先で押圧する程度の力で容易に変形し、押圧後には元の形状に復帰する。
【００１４】
塗布部２を形成する軟質成形体について「軟質」とは、少なくとも、マッサージ用構造体よりも柔らかいことを意味するが、塗布部２に、肌面の凹凸に沿って追従変形する柔軟性を確保する観点から、塗布部２を構成する軟質成形体は、ＪＩＳＫ６２５３で規定するデュロメータ硬さが、好ましくは０〜９０、より好ましくは０〜５０、更に好ましくは３〜３０、更により好ましくは５〜３０である。かかる範囲のデュロメータ硬さはタイプＡ（瞬間値）での硬さである。
なお、前記デュロメータ硬さは、ＪＩＳＫ６２５３の規定に従い、塗布部２を構成する材料で作られた厚み６ｍｍのシート状試験片を用いて測定する。
【００１５】
軟質成形体の原料とする合成樹脂としては、シリコーンゴム、エラストマー樹脂等の合成樹脂等が挙げられるが、成形性の点からエラストマー樹脂であることが好ましい。
【００１６】
本発明における軟質成形体としては、発泡ポリウレタン等の樹脂発泡体からなる多孔質のものを用いることもできるが、塗布部２は、少なくとも、肌に当接される塗布面２ａが非多孔質であることが好ましく、塗布部２を構成する軟質成形体の全体が非多孔質からなることがより好ましい。塗布部２の塗布面２ａが非多孔質であることによって、マッサージやツボ押しをする際に、塗布した化粧料が掻き取られにくくなり、化粧料を均一に塗布すること等が容易となる。
【００１７】
本実施形態の化粧料塗布具１は、図１及び図２に示すように、軟質成形体からなる塗布部２の下面２ｂに当接して該塗布部２を下方から支持する支持部３を有しており、マッサージ用構造体である突起３１〜３３が、該支持部３の上面３ａに突設されている。また、本実施形態における塗布部２の塗布面２ａは、把持部４の軸方向Ｘに対して傾斜させて設けられており、支持部３の上面３ａ及び塗布部２の下面２ｂは、図１及び図２に示すように、同じ角度で、把持部４の軸方向Ｘに対して傾斜している。
なお、塗布部２及び支持部３は、それぞれ、把持部４の軸方向Ｘから見た平面視形状が円形状であり、支持部３の上面３ａ及び塗布部２の下面２ｂをそれぞれの法線方向から見た形状は楕円形状となっている。
【００１８】
ここで、塗布部２の塗布面２ａ全体が、把持部４の軸方向Ｘに対して傾斜していても良く、塗布面２ａの一部分が軸方向Ｘに対して、直交または、平行な面を有していても良い。すなわち、塗布部２の塗布面２ａは、把持部の軸方向に対して傾斜している部分を有していれば良い。また塗布面２ａを法線方向から見て、前記傾斜している部分の面積割合が塗布面全体の約５０％以上であることが、肌面への化粧料塗布のしやすさの観点で好ましい。
【００１９】
なお、前記塗布部２及び支持部３は、それぞれ、把持部４の軸方向Ｘから見た平面視形状が円形状以外にも楕円形状、卵型形状、丸みを帯びた多角形及びおにぎり型形状等、適宜選択することができる。さらに、前記支持部３の上面３ａ及び塗布部２の下面２ｂをそれぞれの法線方向から見た形状も種々の形状を適宜選択することができる。
【００２０】
本実施形態における突起３１〜３３は、それぞれ、図３に示すように、凸曲面状の先端部を有しており、より具体的には、円柱状の軸部の上端に半球状の凸曲面部を有している。また、塗布部２を構成する軟質成形体には、それらの突起３１〜３３のそれぞれと合致する大きさ及び形状の嵌合凹部２１〜２３が形成されており、突起３１〜３３は、それぞれ、対応する嵌合凹部２１〜２３内に空間が生じないように挿入されている。即ち、本実施形態における塗布部２は、突起（マッサージ構造体）の表面と塗布面との間が軟質成形体の形成材料で埋められており中実となっている。
なお、塗布部２の嵌合凹部２１〜２３の内面と、それに接する突起（マッサージ構造体）の表面との間は、接着剤や融着等の適宜の接合手段により接合されていても良いし、非接合状態で当接していても良い。また、塗布部２と支持部３とは、嵌合凹部２１〜２３と突起３１〜３３の嵌合によって一体化されていても良いし、塗布部２の下面２ｂと支持部３の上面３ａとの接合によって一体化されていても良く、更に、それ以外の方法により一体化されていても良い。
【００２１】
突起３１〜３３（マッサージ構造体）は、少なくとも、塗布部２を形成する軟質成形体より硬いものであれば良い。突起３１〜３３（マッサージ構造体）の形成材料は、合成樹脂製であることが好ましいが、金属製、セラミック製、ガラス製、木製等であっても良い。
【００２２】
突起３１〜３３（マッサージ構造体）は、ＪＩＳＫ６２５３で規定するデュロメータ硬さが、好ましくは３０超、より好ましくは６０以上であり、また、好ましくは３０超９０以下、より好ましくは６０以上９０以下である。また、塗布部２を構成する軟質成形体と、それよりも硬い突起３１〜３３（マッサージ構造体）との、ＪＩＳＫ６２５３で規定するデュロメータ硬さの差は、好ましくは２０以上、より好ましくは３０以上であり、また、好ましくは２０〜９０、より好ましくは３０〜９０である。
【００２３】
突起３１〜３３（マッサージ構造体）や支持部３を合成樹脂から形成する場合の合成樹脂としては、例えば、ポリプロピレン（ＰＰ）、ポリエチレン（ＰＥ）等のポリオレフィン樹脂、ポリエチレンテレフタレート等のポリエステル樹脂、ポリアミド、アクリロニトリル・ブタジエン・スチレン共重合合成樹脂（ＡＢＳ樹脂）等が挙げられる。なお、本実施形態における突起３１〜３３と支持部３とは一体成形されているが、これに代えて、両者が、同種又は異種材料からなる別部材を結合したものであっても良い。
【００２４】
本実施形態の化粧料塗布具１は、図２及び図３に示すように、支持部３の傾斜した上面３ａに複数の突起３１〜３３を有しており、より具体的には、支持部３の上面３ａにおける傾斜上端３ａ’側に、大径の一つの突起３１を有し、該上面３ａにおける傾斜下端３ａ”側に、突起３１に比して小径の２つの突起３２，３３を有している。
また、支持部３の下面３ｂには、把持部４を接続するための把持部接続部３５が形成されており、把持部４を構成するチューブ容器４０の吐出部４３が、螺合、嵌合、接着等の任意の方法により液密に接続されている。そして、塗布部２及び支持部３のそれぞれに、把持部４の軸方向Ｘに延びる貫通孔２４，３４が形成されており、それらの貫通孔２４，３４及び吐出部４３内の流路４４が、チューブ容器４０内に収容された化粧料を、塗布面２ａに開口する開口部２５から吐出させる化粧料吐出孔として機能する。本実施形態の化粧料塗布具１においては、把持部４を形成するチューブ容器４０は、手により押圧変形する胴部４２と、胴部４２の一端に取り付けられた吐出部形成部材４１とを備えており、胴部４２を手に持ちながらその手で胴部４２を押圧することにより、胴部４２内に収容した化粧料を、吐出部４３から吐出させて、塗布面２ａに開口した開口部２５から吐出させることができる。
【００２５】
化粧料塗布具１の好ましい使用方法の一例について図５を参照しつつ説明する。
先ず、把持部４を把持して化粧料塗布具１を手５に持ち、把持部４を構成するチューブ容器４０を適度に加圧し、塗布部２の塗布面２ａ上に適宜の量の化粧料を吐出させる。
そして、その塗布部２の塗布面２ａを、顔等における肌面に当てて、該肌面に化粧料を付着させる。次いで、塗布部２の塗布面２ａを、肌面に接触させつつ移動させて、該肌面に塗り広げる。
また、化粧料を肌面に塗り広げる最中、あるいは化粧料を肌面に塗り広げた後に、塗布部２の塗布面２ａを肌面に強く押し付けつつ塗布部２を動かすと、突起３１〜３３の硬い感触が肌に伝わり、該肌面を簡便にマッサージすることができる。また、突起３１〜３３を強く押し付けることにより、顔面等に存在する指圧のツボを、簡便にツボ押しすることもできる。
【００２６】
本実施形態の化粧料塗布具１によれば、塗布部２が軟質成形体からなり、突起３１〜３３（マッサージ用構造体）の硬い感触が肌面に伝達されるため、化粧料の塗布中又は塗布後等に、簡便にマッサージやツボ押しを行うことができる。
しかも、塗布部２が中実であるため、突起３１〜３３（マッサージ用構造体）に押圧力を加えても、塗布面２ａがいびつに変形しにくいため、塗布面２ａの肌への密着性が低下しにくい。そのため、化粧料を肌に効率良く塗り広げることができ、化粧料を肌に均一に塗り広げること等も容易である。
【００２７】
また、本実施形態の化粧料塗布具１においては、塗布部２の塗布面２ａが、把持部４の軸方向Ｘに対して全体が傾斜しているか、または傾斜している部分を有しているため、図５に示すように、塗布部２を肌面に対して押し当て易い。
また、本実施形態の化粧料塗布具１における塗布部２は、人の手の指先大の大きさを有しており、その指先の腹に相当する箇所が塗布面２ａとなっている。指先大の大きさであることによって、顔面等に分布する個々のツボを押圧し易い。このような観点から、例えば、塗布部２は、凸曲面状の塗布面２ａをその突出方向から見た最大径Ｌ１（図４参照）が、好ましくは８ｍｍ〜３０ｍｍであり、より好ましくは１８ｍｍ〜２２ｍｍである。
【００２８】
なお、化粧料塗布具で塗布する化粧料は、肌に塗布して使用される化粧料であれば特に制限されるものではなく、例えば、マッサージ剤、美容液、保湿クリーム、ファンデーションなどが挙げられる。また、化粧料の形態も特に制限されず、例えば、液状、クリーム状、半固体状、等が挙げられる。
【００２９】
本実施形態の化粧料塗布具１において、把持部４を構成するチューブ容器４０は、塗布部２から脱着可能であることが好ましい。脱着可能であると、チューブ容器４０の内部の化粧料を使い切った後に、化粧料が充填された新たなチューブ容器４０に交換して使用することも可能となる。化粧料が充填された新たなチューブ容器は、吐出部４３をキャップ等で覆った状態で、単独で又は塗布部２と組み合わせて販売等を行うことも好ましい。本発明によれば、化粧料塗布具１に着脱自在に取り付けられて使用されるチューブ容器や、そのようなチューブ容器に収容された状態の化粧料も提供される。
【００３０】
以上、本発明をその好ましい実施形態に基づき説明したが、本発明は上述した実施形態に制限されず適宜変更可能である。
【００３１】
例えば、上述した実施形態の化粧料塗布具１おいては、塗布部２に内包される突起の数は３個であったが、これに代えて、１個、２個又は４個以上とすることもできる。例えば、図６及び図７に示す実施形態においては、軟質成形体からなる塗布部２に内包される突起３１の数は一つである。
また、塗布部２を支持する支持部３は、上述した化粧料塗布具１や図６に示す実施形態のように、把持部４の軸方向Ｘに対して傾斜した上面３ａを有するものに代えて、図７に示すように、把持部４の軸方向Ｘに対して直交する非傾斜の上面３ａを有するものであっても良い。
【００３２】
また、上述した実施形態の化粧料塗布具１や図６に示す実施形態においては、マッサージ用構造体としての突起が、把持部４の軸方向Ｘに突出していたが、本発明の化粧料塗布具は、把持部４の軸方向Ｘに対して傾斜した支持部の上面に、該上面の法線方向に突出する突起を備えたものであっても良い。また、マッサージ用構造体としての突起は、円柱状の軸部を有するものに代えて、円錐台状の軸部を有するものであっても良く、半球状の凸曲面部のみからなるものであっても良く、更に種々の形状を採用することもできる。例えば、突起の先端が、尖鋭形状であったり、凹面形状であっても良く、突起の断面が星形状であっても良い。さらに突起先端に更に細い突起が１個以上設けられていても良い。また、中空の塗布部２に内包された突起は、内部が中実であることが好ましいが、軟質成形体の嵌合凹部２１の内面に接しない内部が空洞となっていても良い。
また、塗布部２に内包されたマッサージ用構造体は、図８に示す実施形態ように、塗布部２に設けた嵌合凹部２１に挿入された棒状支持部３Ａの先端部分３ｕであっても良い。
【００３３】
また、本発明の化粧料塗布具における塗布部２は、図６に示す実施形態のように、平面視における周方向の一部又は全体が、支持部３の周面から外方に延出していても良い。また、図６〜図８に示す実施形態のように、塗布面２ａは把持部４の軸方向Ｘに対して非対象であっても良い。
【００３４】
図６に示す実施形態における塗布部２の塗布面２ａは、把持部４の軸方向Ｘに対して傾斜しており、支持部３の周面から、塗布部２の傾斜上端側の端部２ｕまでの距離Ｌｕが、該支持部３の周面から、塗布部２の傾斜下端側の端部２ｄまでの距離Ｌｄよりも長くなっている。傾斜上端側の端部２ｕが、支持部３の周面から大きく延出することにより、塗布部２は、塗布部２の傾斜上端側の端部２ｕ付近が、肌面に押し当てられたときに下方に向かって変位するとともに良好な復元力を示す。これにより、優れた揉み感が得られる。前記距離Ｌｕは、前記距離Ｌｄより大きいことが好ましい。前記距離Ｌｕが前記距離Ｌｄより大きいという場合には、前記距離Ｌｄがゼロである場合と前記距離Ｌｄがゼロでない場合の両方が含まれる。また、前記距離Ｌｕは、好ましくは１ｍｍ以上、より好ましくは５ｍｍ以上であり、また、好ましくは２０ｍｍ以下、より好ましくは８ｍｍ以下である。また、前記距離Ｌｕと前記距離Ｌｄとの差は、好ましくは０．５ｍｍ以上、より好ましくは１．５ｍｍ以上であり、また、好ましくは１８ｍｍ以下、より好ましくは６ｍｍ以下である。
【００３５】
また、上述した実施形態の化粧料塗布具１は、塗布面に開口する化粧料吐出孔を有するものであったが、本発明の化粧料塗布具は、化粧料の収容部や化粧料の吐出機構を有しないものであっても良い。
例えば、上述した実施形態の化粧料塗布具１において、塗布部２や支持部３に貫通孔２４，３４を設けない形態も、本発明の好ましい実施形態であり、その実施形態においては、例えば、支持部と内部中実の把持部とを一体成形したり、支持部に任意の方法により内部中実な把持部を結合させることも好ましい。
また、チューブ容器以外の容器、例えばエアゾール容器等を把持部として設けることもできるし、把持部以外に設けた収容部から、塗布部に化粧料を供給するようにしても良い。
【符号の説明】
【００３６】
１  化粧料塗布具
２  塗布部
２ａ  塗布面
２ｂ  下面
２１〜２３  嵌合凹部
２４  貫通孔
２５  開口部
３  支持部
３ａ  上面
３ｂ  下面
３１〜３３  突起（マッサージ用構造体）
３４  貫通孔
３５  把持部接続部
３Ａ  棒状支持部
３ｕ  先端部分
４  把持部
４０  チューブ容器
４１  吐出部形成部材
４２  胴部
４３  吐出部
４４  流路
５  手
【図１】
2014213142.tif 000003
【図２】
2014213142.tif 000004
【図３】
2014213142.tif 000005
【図４】
2014213142.tif 000006
【図５】
2014213142.tif 000007
【図６】
2014213142.tif 000008
【図７】
2014213142.tif 000009
【図８】
2014213142.tif 000010